(57)【要約】  広告コンテンツを電子リーダデバイスに配置するためのシステムおよび方法。本システムおよび方法は、第1の電子的コンテンツマップを含む、第1の供給源からの複数の第1の電子的コンテンツと、第2の電子的コンテンツマップを含む、第2の供給源からの複数の第2の電子的コンテンツとを、ネットワークを介して受信するように構成された取得モジュールと、複数の第1の電子的コンテンツと複数の第2の電子的コンテンツとを記憶するように構成されたストレージモジュールと、掲示のために、複数の第1の電子的コンテンツと複数の第2の電子的コンテンツとのうちのいくつかを選択するように構成された選択モジュールと、第1の電子的コンテンツマップと第2の電子的コンテンツマップとのうちの少なくとも一方によって、選択された電子的コンテンツを電子リーダデバイスに掲示するように構成された掲示モジュールとを備える。
2013507686.tif 000002
【特許請求の範囲】
【請求項１】
コンテンツを電子リーダデバイスに掲示するためのシステムであって、
第1の電子的コンテンツマップを含む、第1の供給源からの複数の第1の電子的コンテンツと、第2の電子的コンテンツマップを含む、第2の供給源からの複数の第2の電子的コンテンツとを、ネットワークを介して受信するように構成された取得モジュールと、
前記複数の第1の電子的コンテンツと前記複数の第2の電子的コンテンツとを記憶するように構成されたストレージモジュールと、
掲示のために、前記複数の第1の電子的コンテンツと前記複数の第2の電子的コンテンツとのうちの少なくともいくつかを選択するように構成された選択モジュールと、
前記第1の電子的コンテンツマップと前記第2の電子的コンテンツマップとのうちの少なくとも一方によって、前記選択された電子的コンテンツを前記電子リーダデバイスに掲示するように構成された掲示モジュールとを備える、システム。
【請求項２】
前記複数の第1の電子的コンテンツが非広告コンテンツを含み、前記複数の第2の電子的コンテンツが広告コンテンツを含む、請求項1に記載のシステム。
【請求項３】
前記第1の電子的コンテンツマップが、前記複数の第1の電子的コンテンツをページ割付するためのメタデータマップを含む、請求項1に記載のシステム。
【請求項４】
前記第1の電子的コンテンツマップが、以下のカテゴリー、すなわち、ページ番号、種類、章、節、深さ、継続期間、およびサイズのうちの少なくとも1つを含む、請求項1に記載のシステム。
【請求項５】
前記第2の電子的コンテンツマップが、前記複数の第2の電子的コンテンツを配置するためのメタデータマップを含む、請求項1に記載のシステム。
【請求項６】
配置が、ページシーケンス、ページ位置、出力サイズ、継続期間、およびページカテゴリーのうちの少なくとも1つを含む、請求項1に記載のシステム。
【請求項７】
前記第2の電子的コンテンツマップが、以下のカテゴリー、すなわち、コンテンツの番号もしくは識別表示、ページ、種類もしくはカテゴリー、継続期間、およびサイズのうちの少なくとも1つを含む、請求項1に記載のシステム。
【請求項８】
前記掲示モジュールが、前記選択された電子的コンテンツを前記電子リーダデバイスにオフラインモードで掲示するように構成される、請求項1に記載のシステム。
【請求項９】
コンテンツを電子リーダデバイスに掲示するための方法であって、
第1の電子的コンテンツマップを含む、第1の供給源からの複数の第1の電子的コンテンツと、第2の電子的コンテンツマップを含む、第2の供給源からの複数の第2の電子的コンテンツとを、ネットワークを介して取得モジュールにおいて受信する段階と、
前記複数の第1の電子的コンテンツと前記複数の第2の電子的コンテンツとを、ストレージモジュールに記憶する段階と、
掲示のために、前記複数の第1の電子的コンテンツと前記複数の第2の電子的コンテンツとのうちの少なくともいくつかを、選択モジュールにおいて選択する段階と、
掲示モジュールにおいて、前記第1の電子的コンテンツマップと前記第2の電子的コンテンツマップとのうちの少なくとも一方によって、前記選択された電子的コンテンツを前記電子リーダデバイスに掲示する段階とを含む、方法。
【請求項１０】
前記複数の第1の電子的コンテンツが非広告コンテンツを含み、前記複数の第2の電子的コンテンツが広告コンテンツを含む、請求項9に記載の方法。
【請求項１１】
前記第1の電子的コンテンツマップが、前記複数の第1の電子的コンテンツをページ割付するためのメタデータマップを含む、請求項9に記載の方法。
【請求項１２】
前記第1の電子的コンテンツマップが、以下のカテゴリー、すなわち、ページ番号、種類、章、節、深さ、継続期間、およびサイズのうちの少なくとも1つを含む、請求項9に記載の方法。
【請求項１３】
前記第2の電子的コンテンツマップが、前記複数の第2の電子的コンテンツを配置するためのメタデータマップを含む、請求項9に記載の方法。
【請求項１４】
配置が、ページシーケンス、ページ位置、出力サイズ、継続期間、およびページカテゴリーのうちの少なくとも1つを含む、請求項9に記載の方法。
【請求項１５】
前記第2の電子的コンテンツマップが、以下のカテゴリー、すなわち、コンテンツの番号もしくは識別表示、ページ、種類もしくはカテゴリー、継続期間、およびサイズのうちの少なくとも1つを含む、請求項9に記載の方法。
【請求項１６】
前記掲示モジュールが、前記選択された電子的コンテンツを前記電子リーダデバイスにオフラインモードで掲示するように構成される、請求項9に記載の方法。
【請求項１７】
請求項9に記載の方法の行為を実施するためのコードを含む、コンピュータ可読媒体。
【発明の詳細な説明】
【技術分野】
【０００１】
本発明は、電子リーダデバイス内に広告を配置するシステムおよび方法に関する。
【背景技術】
【０００２】
伝統的な新聞は、通常、大シートの紙の上に印刷される。大シートの紙は、多数のニュース記事および他のコンテンツ(content)(例えば、論説、論評など)が、種々の広告コンテンツと効果的に共有されることを可能にする。広告は、大きな収入源(revenue stream)を意味するので、広告を配置するための有効スペースすなわち「不動産(real estate)」の量は、特に貴重である。この新聞コンテンツの伝統的な混合は、より新しい電子フォーマットに転換されるので、各電子ページの中に広告を適合させること、および/または新聞コンテンツを再フォーマットすることが重要である。ウェブスタイルの新聞ページの中で、トピカルリンク(topical link)およびスクロール特性が、多くのニュース記事および広告を閲覧する(navigate)ために使用される。しかし、電子リーダでは、スクロール特性ではなくページ割付特性(pagination feature)が、閲覧(navigation)のために使用される。電子リーダデバイスの上記および他のユニークな特性のため、少なくとも1つのページ割付された閲覧特性を有する電子ページの中で、広告の配置および掲示(presentment)を最適化することが重要になる。従来のシステムおよび方法は、電子リーダデバイスの中で広告の配置および掲示を最適化するための技術を提供しない。
【先行技術文献】
【特許文献】
【０００３】
【特許文献１】米国特許第6,577,433号
【特許文献２】米国特許第6,529,313号
【特許文献３】米国特許第6,525,866号
【特許文献４】米国特許第6,574,034号
【特許文献５】米国特許第6,017,584号
【特許文献６】米国特許第6,067,185号
【特許文献７】米国特許第6,118,426号
【特許文献８】米国特許第6,120,839号
【特許文献９】米国特許第6,124,851号
【特許文献１０】米国特許第6,130,774号
【特許文献１１】米国特許第6,172,798号
【特許文献１２】米国特許第6,177,921号
【特許文献１３】米国特許第6,232,950号
【特許文献１４】米国特許第6,249,271号
【特許文献１５】米国特許出願第12/248,482号
【特許文献１６】米国特許仮出願第60/978,748号
【発明の概要】
【課題を解決するための手段】
【０００４】
本発明が、他の目的および利点と共に、以下の説明を、いくつかの図面において同じ参照番号が同じ要素を同定する添付の図面と共に参照することによって、よりよく理解されうる。
【図面の簡単な説明】
【０００５】
【図１】例示的一実施形態による、コンテンツ配信(distribution)のためのシステムを描くブロック線図である。
【図２】例示的一実施形態による、電子デバイスにコンテンツを掲示および配置するためのモジュールを描く図である。
【図３】例示的一実施形態による、電子デバイスのための例示的ページメタデータマップ構成を描く図である。
【図４】例示的一実施形態による、電子デバイスのための例示的広告メタデータマップ構成を描く図である。
【図５】例示的一実施形態による、電子デバイスにコンテンツを掲示および配置するための例示的流れ図である。
【発明を実施するための形態】
【０００６】
本発明のある実施形態は、電子的ディスプレイデバイス上の電子的コンテンツ(electronic content)アクセス管理を提供する。より詳細には、本発明のある実施形態は、電子的コンテンツアクセスを管理するシステムおよび方法を提供する。そのような電子的コンテンツは、限定しない例として、電気泳動ディスプレイ(electrophoretic display)または電気湿潤ディスプレイ(electro-wetting display)など、電子ペーパーディスプレイ(本明細書で「EPD」と呼ばれる)を使用するデバイスを介してアクセスされてよい。そのようなディスプレイの例は、米国特許第6,577,433号、米国特許第6,529,313号、米国特許第6,525,866号、米国特許第6,574,034号、米国特許第6,017,584号、米国特許第6,067,185号、米国特許第6,118,426号、米国特許第6,120,839号、米国特許第6,124,851号、米国特許第6,130,774号、米国特許第6,172,798号、米国特許第6,177,921号、米国特許第6,232,950号および米国特許第6,249,271号に開示される表示を含む。
【０００７】
ページ不動産は、より小さい電子ペーパーフォーマットに適合するために縮小し始めるのにつれて、元のコンテンツは、所与の電子ページ内に適合するように十分に縮小することはできなくなる(例えば、画像サイズ、記事サイズ、など)。例えば、伝統的な新聞の中に通常掲示されるフルサイズの広告は、その実際の寸法およびサイズを保存しながら、より一層小さい携帯型ハンドヘルド電子デバイスの範囲内に適合することはできない。それゆえ、ウェブ-スタイルページは、そのような新聞コンテンツを掲示するために、リンクおよび垂直スクローリングなどの特性を提供する。大幅なサイズ変更または寸法変形なしに、広告コンテンツを掲示し配置するために電子ページを最適化することは、類似のウェブ-スタイル閲覧特性を使用することができない電子リーダデバイスにとって、特に重要となる。
【０００８】
図1は、例示的一実施形態による、コンテンツ配信のためのシステムのブロック線図を描く。いくつかの実施形態では、システム100は、コンテンツ管理システム110、ビジネスルールシステム120、予備制作システム130、制作システム140、配信システム150および1つまたは複数の電子デバイス170を含んでよい、コンテンツ配信システム(CDN)であってよい。配信システム150は、コンテンツを、通信ネットワーク160を介して1つまたは複数の電子デバイス170に配信することができる。通信ネットワーク160は、有線ネットワークまたは無線ネットワークのいずれであってもよい。一実施形態では、通信ネットワークは、インターネットプロトコル(IP)-ベースのネットワークであってよい。
【０００９】
コンテンツ管理システム110は、予備制作システム130に通信結合されてよく、予備制作システム130は、次に、制作システム140に通信結合されてよい。制作システム140は、配信システム150に通信結合されてよい。いくつかの実施形態では、コンテンツは、コンテンツ管理システム110に集約され(aggregated)、検証および/または処理のために予備制作システム130に出力されてよい。次いで、処理されたコンテンツは、予備制作システム130から出力されてよく、制作システム140において、マッピングおよび/または段落分け(staging)のために受信されてよい。次いで、マップ化され、段落分けされたコンテンツは、制作システム140から出力されてよく、通信ネットワーク160を介して1つまたは複数の電子デバイス170に発行および/または配信するために、配信システム150において受信されてよい。
【００１０】
予備制作システム130は、供給されたコンテンツをコンテンツ管理システム110から受信し、処理済コンテンツを制作システム140に出力することができる。制作システム140は、処理済コンテンツを受信し、段落分け済コンテンツを配信システム150に出力することができる。配信システム150は、段落分け済コンテンツを受信し、承認済コンテンツを1つまたは複数の電子デバイス170に出力することができる。
【００１１】
コンテンツ管理システム110は、種々の種類のコンテンツを収集し、集約し、管理し、かつ/または記憶するための論理回路(logic)を含んでよい。コンテンツの種類は、新聞フィード(newspaper feed)、ウェブコンテンツ、広告、出版物および/または個人情報を含んでよい。いくつかの実施形態では、コンテンツ管理システム110は、1つまたは複数の供給源、カテゴリー、および/またはコンテンツパートナーから、CDN 100に関連するコンテンツを提供するCDN 100に、コンテンツを収集し、かつ/または集約するように構成されてよい。いくつかの実施形態では、コンテンツは、自動的に収集され、かつ/または集約されてよい。他の実施形態では、コンテンツ管理システム110は、コンテンツを、1つまたは複数の基準に基づいて収集し、かつ/または集約してよい。基準は、コンテンツが、壊れやすいか、管理されているか、オンラインか、個人的か、かつ/または他の基準か、を含んでよい。コンテンツ管理システム110は、広告コンテンツを、外部の広告プロバイダおよび/または他の第三者供給源から受信してよいことを理解されたい。
【００１２】
ビジネスルールシステム120は、モデル化されたビジネスプロセスを管理しかつ/または実行するように構成されたワークフローエンジンを含んでよい。ワークフローエンジンの動作の各段階は、1つまたは複数のビジネスルールを指し示すことができる。ワークフローエンジンは、コンテンツがコンテンツ管理システム110において受信される、フィードおよび/または出版物に関連する特定の定型書式(template)を指し示す、1つまたは複数のビジネスルールに基づく1つまたは複数の措置を実施してよい。例えば、いくつかの実施形態では、1つまたは複数のビジネスルールは、ワークフローエンジンを介して処理された各記事、出版物、および/または広告に対して完成されてよい。種々の実施形態では、ビジネスルールシステム120は、以下のルール、すなわち、コンテンツはフィードを通してシステムにはいる、コンテンツは(コンテンツ管理システム110などの)コンテンツ保管場所に記憶される、種々の検証ルールがコンテンツに対して実行される、種々の予備制作ルールが実行される(その結果は、コンテンツ管理システム110に再び記憶されてよい)、種々の制作ルールが実行される(その結果は、コンテンツ管理システム110に再び記憶されてよい)、配信システム150が制作システムの結果を受信して電子デバイス170に配信してよい、というルールのうちの1つまたは複数のルールによって動作するワークフローエンジンを含んでよい。一実施形態では、CDN 100は、ワークフローエンジンを介して適用されるように、1つまたは複数のビジネスルール120の融合によって動作することができる。
【００１３】
また、表示されたコンテンツおよび/または関連するユーザの行動に関する情報が、コンテンツの送達(delivery)および掲示を強化するために、ビジネスルールシステム120および/または電子的コンテンツ配信に関連する他のモジュールによって使用されてよい。コンテンツ管理システム110から受信された種々のコンテンツが、予備制作システム130、制作システム140、および/または配信システム150において、ビジネスルールシステム120によってフォーマットされてよいことを理解されたい。
【００１４】
例示的コンテンツ配信ネットワークが、2008年10月9日に出願した「Systems, Methods and Apparatus for Content Distribution」と題する米国特許出願第12/248,482号、および2007年10月9日に出願した「Content Distribution and Preloading」と題する米国特許仮出願第60/978,748号に開示され、両特許は、参照によりその全体を本明細書に組み込まれる。
【００１５】
CDN 100のコンポーネント/システムは、通信ネットワーク160に通信結合されるサーバ、ネットワーク記憶デバイスまたは他のデバイスであってよいことを理解されたい。1つまたは複数の実施形態では、CDN 100のコンポーネント/システムは、電子的コンテンツを記憶し、受信し、送信し、制作し、集約し、および/またはアップロードすることのうちのいずれか、または組合せを実施することができる。また、CDN 100のコンポーネント/システムは、アカウント管理、電子支払処理および照合、電子ディスプレイデバイスユーザに対する電子的コンテンツの目標マーケティング、ユーザの電子的コンテンツの追跡、およびコンテンツ配信のうちのいずれかまたは組合せを限定されずに含む、他の電子的コンテンツ管理機能を実施することができる。
【００１６】
いくつかの実施形態では、CDN 100のコンポーネント/システムは、レイド(redundant array of inexpensive disks)(RAID)、ストレージエリアネットワーク(storage area network)(SAN)、アイスカジー(internet small computer systems interface (iSCSI))SAN、ファイバチャネル(Fibre Channel)SAN、コモンインターネットファイルシステム(common Internet File System)(CIFS)、ネットワーク接続ストレージ(network attached storage)(NAS)、ネットワークファイルシステム(NFS)、テープ駆動ベースストレージ(tape drive based storage)、または他のコンピュータアクセス可能ストレージなどのストレージに含まれてよいかまたは通信結合されてよい。
【００１７】
さらに、CDN 100のコンポーネント/システムは、アプリケーションプログラミングインターフェース(API)、遠隔手続き呼び出し(Remote Procedure Call)(RPC)、インターフェーステーブル(interface table)、ウェブサービス、拡張マークアップ言語(Extensible Markup Language)(XML)ベースインターフェース、シンプルオブジェクトアクセスプロトコル(SOAP)ベースインターフェース、共通オブジェクトリクエストブローカーアーキテクチャ(common object request broker architecture)(CORBA)ベースインターフェース、および情報を送受信するための他のインターフェースのうちの1つまたは複数を直接介して、他のシステム、アプリケーション、およびストレージの場所のうちのいずれかまたは組合せと通信することができる。例えば、CDN 100のコンポーネント/システムは、電子的コンテンツのキャッシングおよびトランザクションを容易にするために、アカウントシステム、マーケティングシステム、双方向音声応答(interactive voice response)(IVR)システム、コンテンツプロバイダのシステム、または他のシステム、サーバもしくはコンポーネントと通信することができる。
【００１８】
CDN 100のコンポーネント/システムは、それぞれ、電子的コンテンツ配信ネットワーク内の異なる機能を担当することができる。非限定的な例として、CDN 100のコンポーネント/システムは、定期刊行物、書籍、ニュースレターまたは他の電子的コンテンツなどの電子的コンテンツを制作し、受信し、編成し(organize)、かつ集約することができる。そのような電子的コンテンツは、出版業者、再販売業者、新聞社、新聞記者、通信社、放送局、または他の供給源など、1つまたは複数のフィードから集約されてよい。電子的コンテンツの処理は、索引付け、分類、記憶、フォーマット、書き換え、選別、綴り確認、圧縮、暗号化、気密保障、複製、および他の処理のうちのいずれかまたは組合せを含んでよい。電子的コンテンツは、ユーザ入力または第三者入力(例えば、ブログ、ニュースレター、など)によって制作されてよい。そのようなコンテンツは、非限定的な例として、タイプされた入力、またはスピーチによって処理された口述筆記を介して、テキスト入力(例えば、スピーチ、会議、議事録、ヒアリング、などのテキスト)に入力されてよい。電子的コンテンツは、非限定的な例として、光学的文字認識(OCR)処理などによって、既存のテキストを走査することによって制作されてよい。他の走査プロセスは、OCR処理を実施することなく、電子的コンテンツを制作することができる。CDN 100のコンポーネント/システムは、コンテンツを、1つのフォーマットから別のフォーマットに書き換えることができる。例えば、CDN 100のコンポーネント/システムは、予約購読者からコンテンツを受信し、そのコンテンツを、1つまたは複数の電子書籍リーダによって使用される独自仕様のフォーマット(proprietary format)を限定されずに含む、1つまたは複数の電子フォーマットに書き換えてよい。CDN 100のコンポーネント/システムは、予約購読者またはユーザのコンテンツを、電子メール、FTP(ファイル転送プロトコル)、HTTP(ハイパーテキスト転送プロトコル)、テキストメッセージ(例えば、ショートメッセージサービス(SMS)を介して)、マルチメディアメッセージングサービス(MMS)、ワイアレスアクセスプロトコル(WAP)を介して、または他の電子通信プロトコルを介して受信する
ことができる。CDN 100のコンポーネント/システムによるコンテンツの分類は、コンテンツを編成すること、コンテンツを記憶すること、および主題、予約購読、およびアクセスのうちの1つまたは複数によってコンテンツを索引付けすることのいずれかまたは組合せを含んでよい。非限定的な例として、コンテンツが群分けされ、予約購読によって区分されてよいデータベースまたは他の記憶装置に記憶されてよい。
【００１９】
ネットワーク160は、ローカルエリアネットワーク(LAN)、広域ネットワーク(WAN)、サービスプロバイダネットワーク、インターネット、または他の類似のネットワークなど、任意のネットワークであってよい。いくつかの実施形態では、ネットワーク160は、サービスプロバイダネットワークであってよい。ネットワークは、ディジタルデータストリームを搬送する電気信号、電磁信号、および/または光信号を使用することができることを理解されたい。
【００２０】
1つまたは複数の電子デバイス170は、電子書籍(イーブック)リーダ、および/またはE-Ink(登録商標)デバイスであってよい。他の実施形態では、1つまたは複数の電子デバイス170は、デスクトップコンピュータ、ラップトップ/ノートブック、サーバもしくはサーバ状システム、モジュール、携帯情報端末(Personal Digital Assistant)(PDA)、スマートフォン、携帯電話、モバイルフォン、衛星電話、MP3プレーヤ、ビデオプレーヤ、パーソナルメディアプレーヤ、パーソナルビデオレコーダ(PVR)、時計、ゲーム機本体/携帯ゲーム機(gaming console/device)、閲覧デバイス、テレビ、プリンタ、ならびに/または信号を送受信可能なかつ/または電子的コンテンツを表示可能な他のデバイスであってよい。ネットワーク要素102は、モバイル式、携帯式、または固定式であってよいことを理解されたい。また、1つまたは複数の電子デバイス170は、独立に使用されてよく、または別のデバイスおよび/またはシステムの中に一体化されたコンポーネントとして使用されてよいことを理解されたい。
【００２１】
いくつかの実施形態では、電子ディスプレイデバイス170は、電子的コンテンツに、1つまたは複数のデバイスインターフェースを介してローカルにアクセス可能である。例えば、1つまたは複数の電子デバイス170は、標準遠隔通信プロトコルまたは標準ネットワークプロトコルを使用してネットワーク160とデータを送受信することができる。非限定的な例として、一実施形態は、FTP(ファイル転送プロトコル)、HTTP(ハイパーテキスト転送プロトコル)、ワイアレスアプリケーションプロトコル(WAP)、マルチメディアメッセージングサービス(MMS)、強化ショートメッセージサービス(Enhanced Messaging Service)(EMS)、ショートメッセージサービス(SMS)、グローバルシステムフォーモバイルコミュニケーションズ(Global System for Mobile Communications)(GMS)ベースシステム、伝送制御プロトコル/インターネットプロトコル(Transmission Control Protocol/Internet protocol)(TCP/IP)、または電子的コンテンツデータを送受信するのに適した他のプロトコルまたはシステムを使用してよい。電子的コンテンツは、無線で送受信されてよく、またはイーサネット（登録商標）RJ45/Category 5接続、ファイバ接続、伝統的な電話線接続、ケーブル接続または他の有線ネットワーク接続など、ケーブルネットワークまたは電気通信接続(telecom connection)を使用してよい。1つまたは複数の電子デバイス170は、IEEE802.11およびIEEE802.16を含む標準無線プロトコルを使用してよい。また、1つまたは複数の電子デバイス170は、IEEEイーサネット（登録商標）802.3など、有線接続に対するプロトコルを介してネットワーク102に接続されてよい。
【００２２】
また、非限定的な例として、1つまたは複数の電子デバイス170は、USB(ユニバーサルシリアルバス)接続、RS-232接続またはシリアル接続、ブルートゥース接続、RFID(無線自動識別)リーダもしくは質問器、RFIDタグ(能動もしくは受動)、ファイアワイア接続、またはストレージ媒体(例えば、フラッシュメモリカード、CD、DVD)をサポートするインターフェースを含む、1つまたは複数のインターフェースを含んでよい。電子的コンテンツは、電子ストレージ媒体上でエンドユーザによって受信されてよく、1つまたは複数のインターフェースを介して電子ディスプレイデバイスにロードされてよく、またはアクセスされてよい。
【００２３】
また、CDN 100のコンポーネント/システムは、個別のコンポーネントとして示されるが、これらは、適応性を最適化するために、より大きいかまたはより小さいコンポーネントに組み合わされてよいことを理解されたい。例えば、コンテンツ管理システム110、予備制作システム、制作システム140、および配信システム150は、個別のコンポーネント/システムとして描かれるが、これらのコンポーネント/システムは、単一のコンポーネントに一体化されてよいことを理解されたい。また、他の種々の実施形態が実現されてよい。
【００２４】
CDN 100のコンポーネント/システムのそれぞれは、物理サーバおよび/または仮想サーバ、モジュール、ストレージ、デバイス、システム、などであってよいことを理解されたい。また、CDN 100のコンポーネント/システムのそれぞれは、1つまたは複数のネットワーク通信を介して互いに通信することができる。また、他の種々の実施形態が提供されてよい。
【００２５】
図2は、例示的一実施形態によって、コンテンツを電子デバイスに掲示し、配置するためのモジュールを描く。モジュールは、広告モジュール200であってよい。広告モジュール200は、コンテンツ管理システム110、予備制作システム130、制作システム140、配信システム150、および/またはCDN 100の1つまたは複数の電子デバイスの一部であってよい。広告モジュール200は、ハードウェア、ソフトウェア、またはそれらの組合せで実施されてよい。
【００２６】
広告モジュール200は、取得モジュール(acquisition module)202、ストレージモジュール204、選択モジュール206、掲示モジュール208、および/または他のモジュールなど、種々の他のコンポーネント/モジュールを含んでよい。取得モジュール202は、1つまたは複数のコンテンツ供給源から複数の電子的コンテンツを受信することができる。例えば、取得モジュール202は、新聞、書籍、ウェブ、および/または他の出版物のコンテンツを受信することができる。また、取得モジュール202は、例えば、新聞、書籍、ウェブ、および/または他の出版物のコンテンツ内に挿入されてよい電子広告コンテンツを受信することができる。ストレージモジュール204は、受信された電子的コンテンツを記憶することができる。選択モジュール206は、掲示のために、複数の電子的コンテンツのうちの少なくともいくつかを選択することができる。掲示モジュール208は、選択された電子的コンテンツを電子デバイスに掲示することができる。
【００２７】
1つまたは複数の実施形態では、広告モジュール200は、最終的に、1つまたは複数のページメタデータマップおよび/または1つまたは複数の広告メタデータマップを使用することによって、電子的コンテンツを掲示し、配置することができる。
【００２８】
図3は、例示的実施形態による、電子デバイス170(例えば、電子リーダデバイス)に対する例示的ページメタデータマップ構成300を描く。この実施形態では、例えば、電子デバイス170に掲示されるべき電子的コンテンツは、電子新聞コンテンツであってよい。電子新聞コンテンツは、電子リーダデバイスのスクリーン内に適合するために、CDN 100の1つまたは複数のコンポーネントによって設計され、フォーマットされ、かつ/またはそうでなければ構成されてよい。そのコンテンツが電子リーダデバイスのスクリーン内にすべてが適合しないならば、電子新聞コンテンツは、ページ割付されてよく、かつ/または1ページまたは複数のページ内に適合するように再フォーマットされてよい。言い換えれば、電子リーダデバイスのユーザは、各ページを上下にスクロールすることなく(例えば、ウェブ式ページで使用されるサイドバースクローラを介して)電子デバイス上の新聞コンテンツを見ることができる。その代わりに、ユーザは、次のページ割付された電子的コンテンツを見るために、例えば、スクリーン上および/または電子リーダデバイス上の「次ページ」タブ/ボタンを単にタッチするだけでよい。
【００２９】
電子的コンテンツがページ割付されると、例えば、ページメタデータマップ310が提供されうる。本明細書で説明される用語「ページ割付」は、コンテンツのいずれかの部分を見るためにスクロールする必要なしに、電子リーダデバイスの1ページまたは1スクリーン全体に表示されるコンテンツに言及することができることを理解されたい。この実施形態では、ページメタデータマップ310は、いくつかのカテゴリーの情報を含んでよい。新聞の一実施形態では、これらの情報は、ページ番号312、コンテンツの種類314、電子新聞の節316および深さ318を含んでよい。
【００３０】
ページメタデータマップ310において、ページ番号312は、この特定の電子的コンテンツの記事に対して11ページ存在することを示すことができる。この電子新聞に対するコンテンツの種類314は、「第1面」、「記事」、および「節」を含んでよい。電子新聞に対する節316は、「1面」、「ビジネス」、および「スポーツ」を含んでよい。コンテンツの深さ318は、各ページがいかに照合または配列されるかを示すことができる。また、1つまたは複数の他のカテゴリーの情報が、特に、書籍、出版物など、他の種類の電子的コンテンツに対して提供されてよいことを理解されたい。
【００３１】
ページメタデータマップ310は、電子リーダデバイス170の1スクリーン上に見られる、ページ割付された電子的コンテンツ320に対応する。この例では、ページ割付された電子的コンテンツ320は、ページメタデータマップ310に対応する、11ページのうちのそれぞれを表すことができる。ページメタデータマップ310は、広告モジュール200が、広告のために広告メタデータマップを使用するのに有用でありうる。
【００３２】
図4は、例示的実施形態による、電子デバイス170(例えば、電子リーダデバイス)に対する例示的広告メタデータマップ構成400を描く。図3のページメタデータマップ310と同様に、広告メタデータマップ410は、いくつかのカテゴリーを同様に含んでよい。例えば、これらのカテゴリーは、広告番号412、ページ番号414、広告のサイズ416、および/または他のメタデータ418を含んでよい。
【００３３】
ページメタデータマップ410において、広告番号412は、電子的コンテンツと共に掲示されるべき広告のリストを示すことができる。この例では、例えば、「A」から「M」まで掲示および/または配置されるべき13の広告が存在する。ページ番号312は、どこにこれらの広告のそれぞれが配置されるべきか、例えば、11ページの新聞コンテンツのうちのどのページか、を示すことができる。また、例えば、広告A、BおよびCは、電子的コンテンツのページ1に配置されてよい。また、各広告のサイズ416が、広告メタデータマップ410内に提供されてよい。また、ユーザ/読者をターゲットにすることにおいて、またはコンテンツを広告と整合させるために、特に有用でありうる広告のカテゴリー/種類など、他のメタデータが含まれてよい。
【００３４】
広告メタデータマップ410は、電子リーダデバイス170のスクリーン上で見られるべき、ページ割付された電子的コンテンツ420内の広告に対応する。例えば、ページ割付された電子的コンテンツ420は、13の広告(例えば、「A」から「M」まで)、およびいかにそれらの広告が11ページのうちのそれぞれの中に配置されるか、を描くことができる。
【００３５】
ページ割付された電子的コンテンツ420の多くは、たった1つの広告用の場所しか持たないが、1つまたは複数の追加の電子広告コンテンツが、同様に、その広告と共に同じページに表示されうることを理解されたい。さらに、広告は、他の非広告コンテンツと同時に見られてよい。
【００３６】
広告メタデータマップ構成400を提供する利点は、電子デバイス上、例えば電子リーダデバイス上に広告を配置し、掲示する方法を提供することにある。上述の通り、電子リーダコンテンツは、ウェブ式コンテンツとは異なるユニークな仕様を有することができる。その結果、広告メタデータマップ構成400は、電子リーダデバイス用のページ割付された電子的コンテンツのための広告配置を最適化することができる。それゆえ、すべての意図された目的に対して、電子リーダフォーマットにおける広告は、伝統的なフォーマットにおける広告、またはウェブ式レイアウトにおける広告を見る消費者に対するのと同じような効果を有することができる。
【００３７】
いくつかの実施形態では、広告メタデータマップ構成400は、「プレイリスト」のように、効果的に機能することができる。プレイリストは、種々のページ割付された材料と共に表示されうる広告をリストアップし、マップを作ることができる。そのような特徴の便益は、オフラインの広告配置にある。例えば、電子ペーパーディスプレイが電気泳動ディスプレイまたは電気湿潤ディスプレイを有することなど、いくつかの電子リーダデバイスのユニークな特徴は、デバイスが電源を切られたとき、たとえデバイスが給電されていなくても、持続性ディスプレイ(例えば、EPD)が依然として提供されうることにある。このユニークな特徴のため、広告を含めて電子的コンテンツを掲示することは、使用すべき重要な特徴でありうる。蓄電池寿命が向上するだけでなく、広告がより効率的に消費者に目標設定可能であり、高い視認確率を有することができる。それゆえ、広告メタデータマップ構成400を使用することで、デバイスがオフラインであるとき、またはデバイスが電源を切られているときでさえ、電子リーダデバイスが広告を予めロードし、広告を配置するための方法を提供することができる。
【００３８】
他の実施形態では、広告メタデータマップ410は、1つまたは複数の広告の種々の情報を有することができるため、これらのパラメータ/カテゴリーは、顧客を目標設定することにおいて有用でありうる。例えば、スポーツに関連する広告は、スポーツに関連する電子的コンテンツ内に組み込まれてよい。
【００３９】
また、ユーザプロファイリングが、広告の目標設定を改良するために提供されてよいことも理解されたい。例えば、電子リーダデバイスの1ユーザが、1つまたは複数の種々の電子的コンテンツを予約購読する可能性がある。彼もしくは彼女の選択に基づいて、彼もしくは彼女の選択に関連する広告が、デバイスにおける電子的コンテンツの中に挿入されてよい。また、ユーザは、追跡され、記録されうる読み取り習慣を有する可能性がある。例えば、ユーザが、種々雑多な電子的コンテンツを予約購読しているとしても、ユーザは、娯楽および音楽に関連するコンテンツだけを読み取っていることが確定される可能性がある。それゆえ、ユーザがビジネスもしくはスポーツに関連する電子的コンテンツを見ているときでさえ、彼の過去の履歴および/または習慣に起因して、広告は、依然として娯楽および/または音楽に向けられてよい。言い換えれば、上述の広告メタデータマップ構成400を使用するときに、CDN 100は、顧客を目標設定するための知的で動的なプラットフォームに、特定の広告を提供することができる。そのようなプロファイリングは、エンドユーザのデバイスにおいて、CDN 100の1つまたは複数のコンポーネントにおいて、またはそれらの組合せにおいて達成されうることを理解されたい。
【００４０】
上述の通り、これらの電子広告の掲示は、特定のユーザが読むため/消費するために選択する一般的なトピックス/主題によって決まるのではないが、表示された電子的コンテンツに関連する情報を取得することは、広告のサイズ、配置および/または関連するコストを強化するために使用されてよい。例えば、電子的コンテンツ(例えば、広告)が電子デバイスに表示されると、表示されたコンテンツに関連する情報が、取得されうる。情報は、表示の日/週/年の時刻、表示の期間、表示中の電子デバイスの地理的な位置、スクリーン上に表示された電子的コンテンツの位置、表示された時間数、および/または表示されたコンテンツに関連するユーザの行動を含んでよい。関連するユーザの行動は、ハイパーリンクをクリックすること、デバイスが電話をかけるために適切に装備されているならば広告主に電話をかけること、広告をブックマークすること、広告を1人または複数の友人に転送すること、広告を印刷すること、などを含んでよいことを理解されたい。この情報は、ユーザの習慣/傾向を確定するために使用されてよく、例えば、その効果および/または関連する価格/コストをさらに確定するために使用されてよい。いくつかの実施形態では、この情報は、どの広告を表示するか、また、いかに/どこに、それらの情報を掲示するかを確定するために、広告モジュール200によって記憶され、処理されてよい。
【００４１】
電子広告コンテンツは、受動的および/または能動的であってよいことを理解されたい。受動的広告は、静的なテキストおよび画像であってよい。能動的広告は、アニメーションGIFに類似する、アニメーションのテキストおよび/または画像を含んでよい。また、能動的広告は、1つまたは複数のハイパーリンク、および/またはユーザが交流することができる他の双方向性オプションを含んでよい。例えば、能動的広告は、ユーザがその広告についてより多くの情報を検索するためにクリック/選択するためのハイパーリンクを含んでよい。別の例は、ユーザが、ユーザの電子デバイスに通信結合されたプリンタからクーポンを物理的に印刷することを可能にする、広告内の1オプションを、ユーザが選択することを含んでよい。他の双方向性の特徴は、広告される記事を電子デバイスから直接注文すること、ローカルな店への道順を受信すること、などを含んでよい。また、伝統的に掲示される広告コンテンツを保存し、複写するための他の種々の実施形態が、提供されてよい。
【００４２】
また、上述のマッピング特性を使用することで、ファイルサイズが最適化され、ネットワークを介して配信するコストが最小化された。マッピングまたはプレイリストが確立されるので、ファイル転送は、ネットワークの過負荷を最小にするように達成される。
【００４３】
加えて、広告を電子的コンテンツ内に配置するためにマッピングスキームを使用することで、広告運動の枠組み(advertisement campaign paradigm)に固執するための新しいツールが広告主にもたらされうる。例えば、広告主は、その最大効果のために次々と掲載される(run)ように意図された一連の広告を使用することができる。マッピングレジーム(mapping regime)を使用し、構成することで、広告主は、とりわけ電子リーダデバイスを使用する人達に対してマーケティングを拡張することを支援されうる。
【００４４】
メタデータマップを使用して広告を掲示し、配置することによって、伝統的な広告の保存および効果がもたらされうる。上述の便益に加えて、メタデータマップを使用して電子広告コンテンツを掲示するためのシステムおよび方法の実施形態は、製品を提示し、販売するための効果的で改良された技術を提供するだけでなく、広告主が、なんら仕事を追加することなく、消費者集団により効果的にサービスを提供することを可能にする。さらに、ビジネスおよびマーケティングの戦略における利点もまた、ますます明らかとなりうる。これらの便益および機会は、通常、全ページの伝統的な広告を縮小させ、スクロールもしくは他の煩わしい閲覧特性を必要とし、かつ最終的に消費者に対する元の効果を減少させる可能性のある、電子リーダデバイスにおける従来の広告技術によって、別のやり方で提供されるものではない。
【００４５】
図5は、例示的一実施形態による、コンテンツを電子デバイスに掲示し、配置するための例示的流れ図を描く。例示的方法500は、本明細書で開示された方法を実行するために、種々の方法が存在するため、例として提供される。図5に示される方法500は、種々のシステムのうちの1つもしくは組合せによって、実行または実施されてよい。方法500は、例として、少なくとも、図1のシステムおよび/または図2のモジュール200によって実行され、かつシステム100およびモジュール200の種々の要素が、図5の例示的方法の説明において参照されるように、以下に説明される。図5に示される各ブロックは、例示的方法500で実行される1つまたは複数のプロセス、方法、またはサブルーチンを表す。また、方法500の行為を実施するためのコードを含むコンピュータ可読媒体が、提供されてよい。図5を参照すると、例示的方法500は、ブロック510で開始する。
【００４６】
ブロック510で、取得モジュール202が、第1の供給源から複数の第1の電子的コンテンツ、および第2の供給源から複数の第2の電子的コンテンツを、ネットワークを介して受信するように構成されてよい。複数の第1の電子的コンテンツは、第1の電子的コンテンツマップを含んでよく、複数の第2の電子的コンテンツは、第2の電子的コンテンツマップを含んでよい。複数の第1の電子的コンテンツは、非広告コンテンツを含んでよく、複数の第2の電子的コンテンツは、広告コンテンツを含んでよい。
【００４７】
第1の電子的コンテンツマップは、複数の第1電子的コンテンツをページ割付するためのメタデータマップであってよい。第1の電子的コンテンツマップは、以下のカテゴリー、すなわち、ページ番号、種類、章、節、深さ、継続期間およびサイズ、のうちの少なくとも1つを含む。
【００４８】
第2の電子的コンテンツマップは、複数の第2の電子的コンテンツを配置するためのメタデータマップであってよい。第2の電子的コンテンツマップは、以下のカテゴリー、すなわち、コンテンツ番号もしくは識別表示(identification)、ページ、種類もしくはカテゴリー、継続期間およびサイズ、のうちの少なくとも1つを含む。
【００４９】
ブロック520で、ストレージモジュール204は、複数の第1の電子的コンテンツおよび複数の第2の電子的コンテンツを記憶するように構成されてよい。ブロック530で、選択モジュール206は、掲示のために、複数の第1の電子的コンテンツおよび複数の第2の電子的コンテンツのうちの少なくともいくつかを選択するように構成されてよい。
【００５０】
ブロック540で、掲示モジュール208は、第1の電子的コンテンツマップおよび第2の電子的コンテンツマップのうちの少なくとも一方によって、選択された電子的コンテンツを電子リーダデバイスに掲示するように構成されてよい。掲示モジュールは、オフラインモードで選択された電子的コンテンツを電子リーダデバイスに掲示するように構成されてよい。掲示モジュール208は、電子的コンテンツを、電子リーダデバイスの全ディスプレイ部に適合させることができる。他の実施形態では、掲示モジュール208は、電子的コンテンツを、電子リーダデバイスのディスプレイ部の少なくとも一部に適合させることができる。
【００５１】
掲示モジュール208が電子的コンテンツを掲示すると、空間的および時間的に持続するコンポーネントが、コンテンツの中で、空間的に持続した時間的に一過性の(transient)コンポーネントに関連づけられてよい。いくつかの実施形態では、空間的および時間的に持続するコンポーネントが、持続する枠の中で電子的コンテンツを掲示する。他の実施形態では、空間的に持続し、時間的に一過性のコンポーネントが、選択された電子的コンテンツの掲示を最適化することができる。例えば、空間的に持続し、時間的に一過性のコンポーネントが、電子的コンテンツを動的に掲示することができる。上述の通り、選択された電子的コンテンツは、一連の順序またはランダムな順序で掲示されてよい。
【００５２】
実施形態は、少なくとも1つの空間的および時間的に持続するコンポーネント、ならびに少なくとも1つの空間的および時間的に一過性のコンポーネントを対象にするが、他の種々の実施形態もまた、提供されてよいことを理解されたい。例えば、広告は、空間的に一過性で、時間的に持続するコンポーネント、および/または空間的に持続し、時間的に一過性のコンポーネントを含んでよい。他の種々の実施形態もまた、提供されてよい。
【００５３】
本システムおよび方法の特徴および機能性は、主に、電子広告を対象にするが、本システムおよび方法の特徴および機能性は、他のコンテンツにも適用されうることを理解されたい。さらに、広告コンテンツは、主に、視覚表示において説明されるが、コンテンツは、マルチメディア、オーディオ、および/または他の掲示を含んでよいことを理解されたい。
【００５４】
上記の明細書では、種々の好ましい実施形態が、添付の図面を参照して説明された。しかし、以下の特許請求の範囲において説明されるような本発明のより広い範囲を逸脱することなく、種々の改変形態および変更形態が、それに加えて作成されうること、および追加の実施形態が、実施されてよいことは明らかであろう。したがって、本明細書および図面は、限定の意味ではなく例示の意味であるとみなされるべきである。
【符号の説明】
【００５５】
100  システム
110  コンテンツ管理システム
120  ビジネスルールシステム
130  予備制作システム
140  制作システム
150  配信システム
160  通信ネットワーク
170  電子デバイス
300  ページメタデータマップ構成
310  ページメタデータマップ
312  ページ番号
314  コンテンツの種類
316  電子新聞の節
318  電子新聞の深さ
320  ページ割付された電子的コンテンツ
400  広告メタデータマップ構成
410  広告メタデータマップ
412  広告番号
414  ページ番号
416  広告のサイズ
418  他のメタデータ
420  ページ割付された電子的コンテンツ
【図１】
2013507686.tif 000003
【図２】
2013507686.tif 000004
【図３】
2013507686.tif 000005
【図４】
2013507686.tif 000006
【図５】
2013507686.tif 000007
【国際調査報告】
2013507686.tif 000008